(57)【要約】【課題】  タオル等を必要とすることなく、携帯情報端末の画面上に付着した水滴や汚れ等を容易に拭き取ることができる装置を提供する。【解決手段】  携帯情報端末の画面を清掃する画面清掃装置１であって、携帯情報端末１５のボディ１６の画面１７に対応する部分に着脱可能に取り付けられるフレーム２と、該フレーム２によって前記画面１７に沿って移動可能に支持されるとともに、先端が前記画面１７の表面に接触するワイパー６とを備えている。ワイパー６は、前記フレーム２に移動可能に支持される支持軸７と、該支持軸７と一体に移動可能であるとともに、先端が前記ボディ１６の画面１７の表面に接触する弾性体からなるワイパーブレード１１とを備えている。【選択図】        図１
2016116063.tif 000002
【特許請求の範囲】
【請求項１】
携帯情報端末の画面を清掃する画面清掃装置であって、
携帯情報端末のボディの画面に対応する部分に着脱可能に取り付けられるフレームと、該フレームによって前記画面に沿って移動可能に支持されるとともに、先端が前記画面の表面に接触するワイパーとを備えていることを特徴とする画面清掃装置。
【請求項２】
前記フレームは、一対の縦枠と横枠とを四方枠組みして構成したものであって、前記一対の横枠が前記ボディの前記画面の縁部に載せられ、前記一対の縦枠が前記ボディの側面に係止されるように構成されていることを特徴とする請求項１に記載の画面清掃装置。
【請求項３】
前記ワイパーは、前記フレームに移動可能に支持される支持軸と、該支持軸と一体に移動可能であるとともに、先端が前記ボディの画面の表面に接触する弾性体からなるワイパーブレードとを備えていることを特徴とする請求項１又は２に記載の画面清掃装置。
【請求項４】
前記支持軸の両端には、前記ワイパーを前記画面に沿って移動させる操作部が設けられていることを特徴とする請求項３に記載の画面清掃装置。
【発明の詳細な説明】
【技術分野】
【０００１】
本発明は、画面清掃装置に関し、特に、電気の使用量の検針等を行う場合に用いられるハンディターミナル等の各種の携帯情報端末に適用され、携帯情報端末の画面上に付着した水滴、汚れ等を拭き取って除去するのに有効な画面清掃装置に関する。
【背景技術】
【０００２】
従来、電気の使用量の検針を行う場合、作業員がハンディターミナル等の各種の携帯情報端末を用いて、検針により取得した各種の情報を入力することにより、当月の電気の使用量等を算出している。
【０００３】
ところで、雨天時や降雪時等に作業員が携帯情報端末を操作する場合、雨や雪による水滴や汚れ等が携帯情報端末の画面に付着し、画面の表示内容が見にくくなることがある。このような場合、作業員は携帯しているタオル等をポケット等から取り出し、タオル等で画面の表面に付着した水滴や汚れ等を拭き取っているが、検針箇所毎にポケット等からタオル等を取り出す必要があり、検針箇所が複数ある場合には作業に時間と手間がかかる。
【０００４】
また、携帯情報端末を片手で持った状態でタオル等をポケット等から取り出すことによって姿勢が不安定になるため、転倒等によって負傷することがあり、作業員の安全を確保するのが難しくなる。
【０００５】
また、タオル等をポケット等から取り出す手間を省くために、タオル等を携帯情報端末に吊り下げておくことも考えられるが、大雨等の場合には、吊り下げたタオル等が雨に濡れてしまうため、携帯情報端末の画面に付着した水滴等を拭き取ることが困難になる。
【０００６】
携帯情報端末の画面を清掃する画面清掃装置の例が特許文献１、２に記載されている。特許文献１に記載の画面清掃装置（表示画面部拭き取り装置）は、折り畳み式の携帯電話の表示画面を拭き取る装置であって、ヒンジ機構の回動に伴って移動する機構により移動する拭取部を、携帯電話の開閉動作に連動させて表示画面上を往復させることにより、表示画面上の汚れ等を拭き取るように構成したものである。
【０００７】
また、特許文献２に記載の画面清掃装置（携帯情報端末装置）は、折り畳み式の携帯電話の表示画面の汚れを拭き取る拭取部を備えた装置であって、拭取部を案内保持部によって表示画面上を移動可能に案内し、携帯電話の開閉動作に連動させて拭取部を案内保持部によって案内した状態で表示画面上を移動させることにより、表示画面上に付着した汚れ等を拭き取るように構成したものである。
【０００８】
特許文献１、２に記載の装置は、タオル等を必要とすることなく、携帯情報端末の開閉動作に連動させて、拭取部を画面上を移動させることにより、画面上に付着した汚れ等を拭き取ることができる。
【先行技術文献】
【特許文献】
【０００９】
【特許文献１】特開２００４−１９８８７４号公報
【特許文献２】特開２００５−８０１７１号公報
【発明の概要】
【発明が解決しようとする課題】
【００１０】
しかし、特許文献１、２に記載の装置は、折り畳み式の携帯電話等の携帯情報端末にしか適用することができないため、ハンディターミナル等のような固定式の携帯情報端末には適用することはできない。また、構造が複雑で携帯情報端末に一体に組み込まれているため、既存の携帯情報端末に後付することは難しい。
【００１１】
本発明は、上記のような従来の問題に鑑みなされたものであって、タオル等を必要とすることなく、携帯情報端末の画面上に付着した水滴や汚れ等を容易に拭き取ることができるとともに、構造が簡単で既存のハンディターミナル等の携帯情報端末にも適用が可能な画面清掃装置を提供することを目的とする。
【課題を解決するための手段】
【００１２】
上記のような課題を解決するために、本発明は、以下のような手段を採用している。
すなわち、本発明は、携帯情報端末の画面を清掃する画面清掃装置であって、携帯情報端末のボディの画面に対応する部分に着脱可能に取り付けられるフレームと、該フレームによって前記画面に沿って移動可能に支持されるとともに、先端が前記画面の表面に接触するワイパーとを備えていることを特徴とする。
【００１３】
本発明の画面清掃装置によれば、フレームを携帯情報端末のボディの画面に対応する部分に取り付け、ワイパーを画面に沿って移動させることにより、画面に付着した水滴等を拭き取って除去することができる。
従って、作業員がポケット等に携帯しているタオル等を取り出して、水滴等で見にくくなっている画面を拭き取る必要はなく、画面に付着した水滴等を容易に拭き取って除去することができる。
また、タオル等を用いて拭き取る場合のように、画面の表面を十分に拭き取ることができずに、画面に表示された情報が見にくくなり、数字の誤入力に気づかずにご検針するようなことはなくなる。
また、多王等を取り出して画面の表面を拭き取る場合のように、不安定な姿勢となって転倒等して負傷するようなことはなく、雨天時等においても作業員の安全を確保することができる。
【００１４】
また、本発明において、前記フレームは、一対の縦枠と横枠とを四方枠組みして構成したものであって、前記一対の横枠が前記ボディの前記画面の縁部に載せられ、前記一対の縦枠が前記ボディの側面に係止されるように構成されていることとしてもよい。
【００１５】
本発明の画面清掃装置によれば、フレームは、一対の縦枠と横枠とを四方枠組みした簡単な構成のものであるので、製造に要するコストを低減させることができる。
【００１６】
また、本発明において、前記ワイパーは、前記フレームに移動可能に支持される支持軸と、該支持軸と一体に移動可能であるとともに、先端が前記ボディの画面の表面に接触する弾性体からなるワイパーブレードとを備えていることとしてもよい。
【００１７】
本発明の画面清掃装置によれば、ワイパーは、支持軸とワイパーブレードとからなる簡単な構成のものであるので、製造に要するコストを低減させることができる。
【００１８】
また、本発明において、前記支持軸の両端には、前記ワイパーを前記画面に沿って移動させる操作部が設けられていることとしてもよい。
【００１９】
本発明の画面清掃装置によれば、操作部を手で掴んでワイパーを画面に沿って移動させることにより、画面上に付着した水滴等を拭き取って除去できるので、水滴等を拭き取る作業を容易に行うことができる。
【発明の効果】
【００２０】
以上、説明したように、本発明の画面清掃装置によれば、タオル等を必要とすることなく、携帯情報端末の画面上に付着した水滴や汚れ等を容易に拭き取ることができる。また、構造が簡単で容易に製造することができるので、既存のハンディターミナル等の各種の携帯情報端末にも適用することができ、汎用性を高めることができる。
【図面の簡単な説明】
【００２１】
【図１】本発明による画面清掃装置の一実施の形態を示した平面図である。
【図２】図１のＡ矢視図である。
【図３】図１のＢ矢視図である。
【図４】ワイパーの部分拡大図である。
【図５】ワイパーの側面図である。
【図６】ワイパーの変形例の側面図である。
【発明を実施するための形態】
【００２２】
以下、図面を参照しながら本発明の画面清掃装置について説明する。
図１〜図５には、本発明による画面清掃装置の一実施の形態が示されている。本実施の形態の画面清掃装置１は、例えば、ハンディターミナル等の携帯情報端末１５に適用され、携帯情報端末１５の画面１７の表面に付着した水滴、汚れ等を拭き取って除去するのに有効なものである。
【００２３】
携帯情報端末１５は、例えば、図１〜図３に示すように、合成樹脂製の四角箱状のボディ１６、ボディ１６の表面に設けられる各種の情報を表示する四角形状の画面１７、ボディ１６の表面に設けられる複数のキーからなるキーボード１８等から構成され、この携帯情報端末１５のボディ１６に本実施の形態の画面清掃装置１が取り付けられる。
【００２４】
本実施の形態の画面清掃装置１は、図１〜図３に示すように、携帯情報端末１５のボディ１６の画面１７に対応する部分に着脱可能に取り付けられるフレーム２と、フレーム２によって移動可能に支持されて、ボディ１６の画面１７の表面に付着した水滴、汚れ等を拭き取るワイパー６とを備えている。
【００２５】
フレーム２は、長方形板状の一対の縦枠３、３と横枠４、４とを四方枠組みして構成したものであって、携帯情報端末１５のボディ１６の画面１７に対応する部分に着脱可能に取り付けられる。
【００２６】
フレーム２の縦枠３、３間の寸法は、ボディ１６の幅よりもやや大きく設定され、横枠４、４間の寸法は、ボディ１６の画面１７の縦寸法よりもやや大きく設定されている。また、フレーム２は、一対の縦枠３、３と横枠４、４とを四方枠組みした際に、縦枠３及び横枠４の上面が面一となり、各横枠４の下面側に一段低い段部５がそれぞれ形成されるように、縦枠３及び横枠４の幅寸法が設定されている。これにより、フレーム２を携帯情報端末１５のボディ１６の画面１７に対応する部分に取り付けた際に、各横枠４の下面をボディ１６の上面に載せた状態で、各縦枠３の内面をボディ１６の側面に係止させることができ、フレーム２がボディ１６の幅方向にずれるのを防止できる。
【００２７】
フレーム２の各縦枠３には、同一幅、長さの長孔３ａが長さ方向を向くようにそれぞれ設けられ、両縦枠３、３の両長孔３ａ、３ａ間に後述するワイパー６の支持軸７が両縦枠３、３の長さ方向に移動可能に取り付けられている。
【００２８】
ワイパー６は、フレーム２の両縦枠３、３の両長孔３ａ、３ａ間に取り付けられて、両縦枠３、３の長さ方向に移動可能な支持軸７と、支持軸７に取り付けられて、支持軸７と一体に両縦枠３、３の長さ方向に移動可能なワイパーブレード１１とを備えている。
【００２９】
支持軸７は、両縦枠３、３の内面間に設けられるワイパーブレード取付部８と、ワイパーブレード取付部８の両端にそれぞれ設けられるとともに、各縦枠３の長孔３ａを挿通して先端が各縦枠３の外面から外方に突出する支持部９とを備えている。
【００３０】
ワイパーブレード取付部８は、図４に示すように、縦枠３の長孔３ａの幅よりも直径が大径の丸棒状をなすものであって、ワイパーブレード取付部８を後述するワイパーブレード１１の取付孔１３内に挿通させることで、ワイパーブレード１１がワイパーブレード取付部８に取り付けられる。
【００３１】
ワイパーブレード取付部８は、両端面が両縦枠３、３の内面を摺動可能に長さが設定されている。ワイパーブレード取付部８の両端の中央部には、図４に示すように、それぞれねじ孔８ａが設けられ、このねじ孔８ａに後述する支持部９の雄ねじ９ａが螺合される。
【００３２】
支持部９は、図１〜図４に示すように、角棒状をなすものであって、一端に雄ねじ９ａが一体に設けられ、この雄ねじ９ａをワイパーブレード取付部８の各端面のねじ孔８ａに螺合させることにより、ワイパーブレード取付部８の各端面に取り付けられる。支持部９は、縦方向の長さが縦枠３の長孔３ａの幅よりも僅かに小さく形成され、これにより、支持部９をガタが生じることなく縦枠３の長孔３ａ内を縦枠３の長さ方向にスライドさせることができる。
【００３３】
支持部９の他端には、支持部９よりも一回り大きい板状の操作部１０がねじ等の手段によって取り付けられている。両支持部９、９の両操作部１０、１０又は何れか一方の操作部１０を手で掴んで、支持軸７を両縦枠３、３の長さ方向に移動させることにより、支持軸７と一体にワイパーブレード１１を両縦枠３、３の長さ方向に移動させることができる。
【００３４】
ワイパーブレード１１は、各種の合成ゴム、合成樹脂等の撥水性を有する弾性材からなるものであって、図４及び図５に示すように、中心部に取付孔１３が設けられる断面四角形状の基部１２と、基部１２に一体に設けられる先端が尖った形状のブレード部１４とから構成されている。
【００３５】
ワイパーブレード１１は、基部１２の取付孔１３内に支持軸７のワイパーブレード取付部８を挿通させることにより、ワイパーブレード取付部８に取り付けられ、この状態で基部１２の複数箇所がねじ等の固定手段（図示せず）によってワイパーブレード取付部８に固定されている。
【００３６】
ワイパーブレード１１は、図１に示すように、携帯情報端末１５の画面１７の横寸法と略同一、又は横寸法よりも僅かに小さくなるように、長さが設定されている。また、基部１２の取付孔１３の中心からブレード部１４の先端までの距離が、支持軸７の中心から携帯情報端末１５の画面１７の表面までの距離よりも長くなるように、高さ方向の寸法が設定されている。これにより、図４及び図５に示すように、ワイパーブレード１１のブレード部１４の先端を携帯情報端末１５の画面１７の表面の全幅に亘って押し付けることができる。
【００３７】
なお、ブレード部１４の形状は特に制限されるものではなく、周知の車両用のワイパーブレードのようなリップ形状等に形成してもよい。要は、画面１７の表面に付着した水滴、汚れ等を拭き取って除去することが可能な形状であればよい。
【００３８】
なお、支持軸７のワイパーブレード取付部８は、図６に示すように、断面四角形状に形成し、ワイパーブレード取付部８を挿通させるワイパーブレード１１の基部１２の取付孔１３を断面四角形状に形成してもよい。このような形状にワイパーブレード取付部８及び基部１２の取付孔１３を形成することにより、ワイパーブレード取付部８を基部１２にねじ等の固定手段によって構成する必要がなくなる。
【００３９】
また、支持軸７のワイパーブレード取付部８と支持部９、９とを一体に形成してもよい。その場合には、フレームの縦枠３と横枠４とをねじ等の固定手段によって分解可能に枠組みすればよい。
【００４０】
上記のような構成の画面清掃装置１を用いて、携帯情報端末１５の画面１７の表面に付着した水滴、汚れ等を除去するには、図１〜図３に示すように、携帯情報端末１５のボディ１６の画面１７に対応する部分に、画面清掃装置１のフレーム２を取り付け、フレーム２の両横枠４、４を画面１７の縁部のボディ１６の表面に載せ、両縦枠３、３をボディ１６の両側面に係止させる。
【００４１】
そして、フレーム２を手で押さえて、ワイパーブレード１１のブレード部１４の先端を画面１７の表面に押し付け、この状態で、支持軸７の両端の操作部１０を手で掴み、支持軸７を画面１７の縦方向に必要な回数往復移動させる。
【００４２】
これにより、画面１７の表面に付着した水滴、汚れ等を拭き取って除去することができ、画面１７上に表示される各種の情報を見やすくすることができる。
【００４３】
上記のような構成した本実施の形態の画面清掃装置１にあっては、雨天時等に携帯情報端末１５を用いて電気の使用量等の検針を行う場合に、雨滴等が携帯情報端末１５の画面１７に付着して、画面１７に表示される各種の情報が見にくい場合に、検針員が画面清掃装置１のフレーム２を携帯情報端末１５のボディ１６の画面１７に対応する部分に取り付けて、ワイパー６の操作部１０を手で掴み、ワイパー６を画面１７の縦方向に往復移動させることにより、ワイパーブレード１１のブレード部１４によって画面１７に付着した水滴等を拭き取って除去することができる。
【００４４】
したがって、作業員がポケット等に携帯しているタオル等を取り出して、水滴等で見にくくなっている画面１７を拭き取る必要はなく、画面１７に付着した水滴等を容易に拭き取って除去することができる。
【００４５】
また、ワイパーブレード１１のブレード部１４が画面１７の全幅に亘るように設けられているので、ワイパー６を画面１７の縦方向に複数回移動させるだけで、画面１７の全体を綺麗にすることができる。
【００４６】
従って、タオル等用いて拭き取る場合のように、画面１７の表面を十分に拭き取ることができずに、画面１７に表示される情報が見にくくなり、数字の誤入力に気づかずにご検針するようなことはない。
【００４７】
また、検針員が携帯情報端末１５を片手に持ったままの状態で、タオル等を取り出して画面１７の表面を拭き取る場合のように、不安定な体勢となって転倒などして負傷するようなことはなく、雨天時等においても作業員の安全を確保することができる。
【００４８】
また、フレーム２とワイパー６とからなる簡単な構造のものであって、携帯情報端末１５のボディ１６に着脱可能に構成したので、既存のハンディターミナル等の各種の携帯情報端末１５に適用することができ、汎用性を高めることができる。
【００４９】
なお、図示はしないが、フレーム２の縦枠３、３間に拡大鏡を移動可能に取り付け、画面の表示内容を拡大して目視できるように構成してもよい。拡大鏡は特に制限はなく、周知の各種の拡大鏡を使用することができる。
【符号の説明】
【００５０】
１  画面清掃装置
２  フレーム
３  縦枠
３ａ  長孔
４  横枠
５  段部
６  ワイパー
７  支持軸
８  ワイパーブレード取付部
８ａ  ねじ孔
９  支持部
９ａ  雄ねじ
１０  操作部
１１  ワイパーブレード
１２  基部
１３  取付孔
１４  ブレード部
１５  携帯端末
１６  ボディ
１７  画面
１８  キーボード
【図１】
2016116063.tif 000003
【図２】
2016116063.tif 000004
【図３】
2016116063.tif 000005
【図４】
2016116063.tif 000006
【図５】
2016116063.tif 000007
【図６】
2016116063.tif 000008